(57)【特許請求の範囲】
【請求項１】
記録されている番組の中から宣伝のための特定の録画内容を抽出し、
前記特定の録画内容に対応する特定情報に一致する番組本編を検索し、
検索した前記特定情報に一致する番組を一覧表示し、
前記特定情報に一致する番組本編または前記特定の録画内容に対して、再生の指示を受けつける入力画面を表示する記憶再生方法。
【請求項２】
前記入力画面は、さらに前記特定の録画内容が存在しない番組について、前記番組本編の再生指示を受け付ける画面を表示する請求項１の記憶再生方法。
【請求項３】
前記番組本編を削除する場合、前記特定の録画内容部分のみを保護して削除する請求項１から２の何れかの記憶再生方法。
【請求項４】
前記特定情報を、外部から取得する請求項１から３の何れかの記憶再生方法。
【請求項５】
記憶装置が保持する番組の中から宣伝のための特定の録画内容を抽出する特定内容抽出部と、
前記特定の録画内容に対応する特定情報を管理する特定情報管理部と、
前記特定情報管理部が管理する前記特定情報に一致する番組を一覧表示し、
前記特定情報管理部が管理する前記特定情報に一致する番組本編または前記特定の録画内容に対して、再生の指示を受けつける入力画面を表示する表示部と、
を具備する電子機器。
【請求項６】
前記表示部は、さらに前記特定の録画内容が存在しない番組について、前記番組本編の再生指示を受け付ける前記入力画面を表示する請求項５の電子機器。
【請求項７】
前記番組本編の削除する場合、前記特定の録画内容部分のみを保護して削除する保護制御部をさらに具備する請求項５から６の何れかの電子機器。
【請求項８】
前記特定情報を、外部から取得する請求項５から７の何れかの電子機器。
【請求項９】
前記特定情報は、新番組の案内のために用意された放送内容や、複数回で完結する連続性のある各番組の最後あるいは任意のタイミングに放送される次回予告のために用意された放送内容の放送開始時刻及び放送終了時刻を含む請求項５から８の何れかの電子機器。
【請求項１０】
前記特定情報は、新番組の案内のために用意された放送内容や、複数回で完結する連続性のある各番組の最後あるいは任意のタイミングに放送される次回予告のために用意された放送内容を、前記番組本編の放送開始時刻を００分００秒として、ＭＭ分ＳＳ秒からｍｍ分ｓｓ秒として保持する請求項５から８の何れかの電子機器。
【請求項１１】
前記特定情報は、対応する前記番組本編の番組名、放送局名、放送開始日時及び放送時間等を含む請求項５から８の何れかの電子機器。
【発明の詳細な説明】
【技術分野】
【０００１】
この発明は、情報の記録と再生が可能な電子機器及び記憶再生方法に関する。
【背景技術】
【０００２】
記憶装置の価格の低下や記憶密度の向上、等が代表する録画系機能の進化に伴い、日常的に、多くの情報の記憶すなわち番組の録画が可能となっている。例えば、タイムシフトマシン機能により、ユーザが番組毎に録画予約をすることなく、好みのチャンネル・時間帯を丸ごと録画し、最大約１週間分の番組を遡って視聴することが可能である。
【０００３】
反面、ユーザが録画済の番組の中から視聴しようとする視聴対象番組を選択する場合、視聴対象番組の候補となる番組の数が多いことにより、録画済の番組の検索機能に対するユーザニーズが高まっている。
【先行技術文献】
【特許文献】
【０００４】
【特許文献１】特開２０１２−７０１９４号公報
【特許文献２】特開２０１０−４１４１３号公報
【発明の概要】
【発明が解決しようとする課題】
【０００５】
視聴対象候補となる多くの番組が録画されることにより、ユーザは、視聴すべき番組をどの番組に絞り込むか、を判断する必要に迫られる。このため、ユーザは、番宣すなわち新番組の宣伝のための番組のＣＭや、複数回で完結する連続性のある番組の次回予告のために用意された短編の番組を視聴して、興味をもった番組を視聴する番組を絞り込む場合が少なくない。
【０００６】
しかしながら、番宣を見逃してしまったユーザは、継続的に視聴すべき番組を決定するために、継続的な視聴対象候補の番組をひと通り視聴することを余儀なくされる。なお、継続的な視聴対象とすべき番組を絞り込むためには、番組説明や関連情報を参照することが好ましい。番組説明は、例えばＥＰＧ（電子番組表）や新聞のテレビ番組紹介欄の番組ガイドから取得できる。関連情報は、例えばＳＮＳ（ソーシャルネットワークサービス）や情報誌が提供する口コミ情報（おすすめ情報）として取得できる。にもかかわらず、新番組が数多く放送される番組改編期の場合は、継続的に視聴すべき番組の決定は、ユーザに、大きな負担となる。
【０００７】
この発明の目的は、情報の記録と再生が可能な電子機器及び記憶再生方法、を提供することである。
【課題を解決するための手段】
【０００８】
実施形態に係る記憶再生方法は、記録されている番組の中から宣伝のための特定の録画内容を抽出し、前記特定の録画内容に対応する特定情報に一致する番組本編を検索し、検索した前記特定情報に一致する番組のみを一覧表示し、前記特定情報に一致する番組本編または前記特定の録画内容に対して、再生の指示を受けつける入力画面を表示する。
【図面の簡単な説明】
【０００９】
【図１】実施形態に係る記憶再生装置（電子機器）の一例を示す。
【図２】実施形態に係る記憶再生装置の動作の一例をソフトウェア的に示す。
【図３】実施形態に係る記憶再生装置が保持するデータベースの内容の一例を示す。
【図４Ａ】実施形態に係る記憶再生装置における指示入力画面表示の一例を示す。
【図４Ｂ】実施形態に係る記憶再生装置における指示入力画面表示の一例を示す。
【図５】実施形態に係る記憶再生装置における指示入力画面表示の一例を示す。
【図６】実施形態に係る記憶再生装置（電子機器）の一例を示す。
【発明を実施するための形態】
【００１０】
以下、図面を参照して、本発明の実施の一形態について説明する。
【００１１】
図１は、実施形態に係る記憶再生装置（電子機器）の一例を示す。なお、以下に説明する要素や構成は、マイクロコンピュータ（処理装置、ＣＰＵ（Central Processing Unit））によりソフトウェアで実現するものであってもよいし、ハードウェアで実現するものであってもよい。
【００１２】
また、以下の記載において、番組は、ストリームあるいはコンテンツもしくは情報と称する場合もある。なお、番組は、映像及び映像に付属する音声や音楽からなる。また、映像は、動画と静止画またはテキスト（コード化された符号列で示される文字や記号等で表される情報）の少なくとも１つを含む。
【００１３】
記憶再生装置が記録する番組の取得は、番組供給元（放送局）が、例えば空間波（電波）を用いて送信する放送の受信により実現できる。番組の取得はまた、番組配信元（配信事業者）が、光ファイバ（ケーブル）やインターネット・プロトコル（Internet Protocol）通信網、等のネットワークを用いて配信するものの取得であってもよい。番組の取得はまた、ネットワーク上の番組提供元（コンテンツサーバ）が保持するストリーミング映像（ストリーム）の読み出し（ダウンロード）であってもよい。またさらに、番組の取得（再生）は、ネットワーク機能を使用する映像転送技術（他の装置が保持する番組のネットワークを経由した再生（取得）によっても、可能である。
【００１４】
図１が示す記憶再生装置１は、受信部１０２、復調部１０３、ＭＰＥＧ処理部（ビデオ／オーディオ信号処理部）１０４、出力部１０５、システム制御部（主制御ブロック）１０６、操作部１０７、記録処理部１１０、録画番組管理部１１１、番宣抽出部１１２、番宣メタデータ管理部１１３、番組リンク情報生成部１１４、番宣再生制御部１１５、及び通信制御部１１６、等を含む。
【００１５】
受信部１０２は、アンテナ１０１と接続する。出力部１０５は、映像（video）を表示するディスプレイ（表示部）１０９及び音声／音響（audio）を再生するスピーカ１０８と接続する。通信制御部１１６は、ネットワークＮＴＷを経由して、シーン検索のためのメタデータを保持するサービスサーバ２０１と接続する。なお、スピーカ１０８及びディスプレイ１０９あるいはその少なくとも一方は、記憶再生装置１と非接触で、映像または音声／音響を、例えば無線通信により取得するものであってもよい。また、スピーカ１０８及びディスプレイ１０９は、記憶再生装置１と一体であってもよい。
【００１６】
アンテナ１０１から受信部１０２に入力するテレビ放送信号は、受信部１０２においてＩＦ（中間周波数）信号に変換される。復調部１０３は、ＩＦ信号からデジタル信号（ＴＳ：トランスポートストリーム）を抽出し、ＭＰＥＧ処理部１０４に出力する。
【００１７】
ＭＰＥＧ処理部１０４は、ＴＳを、映像成分（video）、音声／音響成分（audio）、およびＥＰＧ表示用のＳＩ（Service Information）に分離し、映像（video）・音声／音響（audio）をデコードする。デコードされた映像（video）データ・音声／音響（audio）データは、出力部１０５からスピーカ１０８及びディスプレイ１０９に、それぞれ、出力される。
【００１８】
システム制御部（主制御ブロック）１０６は、上述した要素や構成の動作を制御する。システム制御部１０６はまた、操作部１０７が受けつけるリモコン端末装置（リモートコントローラ）ＲＭや、タブレットＰＣやスマートフォンが代表する携帯可能な端末装置からの制御入力（操作指示）に対応するさまざまな制御コマンドを出力する。制御コマンドは、例えばテレビ放送（番組）の録画（記憶）や録画（記憶）された番組の再生等を指示するコマンドである。
【００１９】
記録処理部１１０は、記録処理部１１０と接続する記憶装置Ｈ１に、任意数の番組を、ループ記録（タイムシフトマシン記録）する。ループ記録は、記録レート（記録時のデータサイズ）に依存するが、例えば６チャンネル分の番組を、例えば１週間分程度記録できる。なお、ループ記録するチャンネルの数と時間帯及び記録レートは、ユーザ（視聴者）が任意に設定できる。
【００２０】
録画番組管理部１１１は、記憶装置Ｈ１が保持する（記憶装置Ｈ１に記憶されている）番組の番組情報を抽出して管理する。なお、録画番組管理部１１１は、接続する録画番組情報データベースＬ１に、抽出した番組情報を記憶する。
【００２１】
番宣抽出部１１２は、記憶装置Ｈ１が保持する番組内において、番組実体（番組本編）と一体的に用意される「番組の宣伝」部分である番宣（予告）を抽出する。なお、番組実体は、１つの放送時間帯において放送される番組から番宣を分離した状態を示し、例えば一体的に放送されるＣＭ等を含む。
【００２２】
番宣は、新たに放送が始まる番組（新番組）の宣伝のためのＣＭ形式の番組や、複数回で完結する連続性のある番組の次回予告のために用意された短編の番組である。番宣は、複数回で完結する連続性のある番組の毎回の放送の最後に放送されることが多いが、実質的に任意のタイミングで放送される。
【００２３】
番宣抽出部１１２は、１つの番組が全て番宣から構成されている番宣番組については、抽出対象から除外して番宣を抽出する。抽出対象から除外する番組としては、連続性のある番組のｎ回目の放送に先立って同日あるいは前日に放送されるｎ−１回目の番組の再放送を含む。すなわち、ある番組のｎ回目の放送に先立って放送されるｎ−１回目の放送については番宣番組と判定することが好ましい。また、番宣は、新番組の放送開始当日や、放送開始前の数日−数週間の間、比較的高い頻度で放送される。このため、番宣抽出部１１２は、サービスサーバ２０１が保持する番宣メタデータ（番宣情報）を参照して、同一番組に対応する複数の番宣を１つの番宣と特定できることが好ましい。なお、番宣抽出部１１２による番宣（予告）の抽出は、例えば    
［ａ］次回は、、、、              
［ｂ］次回の見どころは、、、、    
［ｃ］新番組のお知らせ、、、、    
等のキーワード（テロップ（字幕）や音声）を、既に実用化されている映像（音声）認識技術により特定することにより実現できる。抽出したキーワードは、番宣情報（番宣メタデータ）として、以下に説明する番宣メタデータ管理部１１３と接続する番宣情報データベースＬ２が記憶する。番宣メタデータ（番宣情報）は、番宣に対応する番組実体（番組本編）を特定するために利用可能なさまざまなデータ、例えば番組名（番組ＩＤ）、放送局名、放送開始日時及び放送時間等を、少なくとも含む。なお、番宣の抽出に必要な情報や番宣メタデータ（番宣情報）は、ネットワークＮＴＷを経由してサービスサーバ２０１から取得することも可能である。すなわち、サービスサーバ２０１は、任意の番組について、番組実体に付属する番宣が存在するか否か、の情報を保持する。また、サービスサーバ２０１は、番宣が存在する場合には、その番組の時間軸上のどの位置に存在するかを示す番宣メタデータを、記憶再生装置１が参照可能に、保持する。番宣メタデータは、番組の時間軸上で、番組の開始時間を００分００秒としたとき、ＭＭ分ＳＳ秒からｍｍ分ｓｓ秒の区間が番宣であることを示すデータを、少なくとも含む。
【００２４】
なお、記憶再生装置１は、抽出された番宣部分を別の記憶領域に複写する機能を備えてもよい。すなわち、抽出された番宣部分を別の記憶領域に複写しておくことで、録画されている番組の本編のみを削除する場合の本編の削除が容易となる。なお、番宣部分は、録画されている）番組の本編に対応するリンク情報を有する。これにより、録画されている番組の本編を削除する際、その番組の本編に対応する（本編と関連付けられている）番宣を、一体的に（実質的に同時に）削除することも可能である。従い、記憶装置Ｈ１の記憶領域を有効に活用できる。
【００２５】
番宣メタデータ管理部１１３は、番宣抽出部１１２が抽出する、あるいはネットワークＮＴＷを経由してサービスサーバ２０１から取得する、番宣メタデータ（番宣情報）を管理する。すなわち、番宣メタデータ管理部１１３は、番宣抽出部１１２が抽出した、あるいはサービスサーバ２０１から取得した番宣メタデータを番宣情報データベースＬ２に記憶する。番宣情報データベースＬ２が記憶（保持）する番宣メタデータは、番宣メタデータ管理部１１３を通じ、必要に応じて（ユーザ指示に基づいて）、任意のタイミングで参照（読み出し）可能である。なお、番宣情報データベースＬ２が保持する番宣情報データベースの内容を、図３に例示する。番宣情報データベースＬ２が保持する番宣情報データベースの内容は、番宣メタデータ、記憶装置Ｈ１内における番宣記録位置情報、及び番組実体（本編）とのリンク情報、等である。なお、リンク情報は、以下に説明する番組リンク情報生成部１１４が生成する。
【００２６】
番組リンク情報生成部１１４は、番宣メタデータ管理部１１３が番宣情報データベースＬ２から読み出す番宣メタデータと番組実体（本編）とを照合しリンク情報を生成する。リンク情報は、上述した通り、番宣と番組実体（本編）との関連付けを示す情報である。なお、リンク情報は、対応する実体番組を識別可能な情報であり、例えば録画番組管理部１１１が管理する記憶装置Ｈ１内の録画コンテンツＩＤを少なくとも含む。また、リンク情報は、２以上の記憶装置Ｈ１が利用可能な場合は、対応する番組が記録されている記憶装置Ｈ１を識別するための情報（ＭＡＣ（Media Access Control）アドレス）を少なくとも含む。
【００２７】
番宣再生制御部１１５は、図４または図５を用いて後段に説明するが、記憶装置Ｈ１が保持する番組実体または番宣の再生を制御する。すなわち、番宣再生制御部１１５は、番宣及び番組実体を、ユーザによる選択指示（リモコン操作）に応じた任意のタイミングで再生する。なお、番宣再生制御部１１５は、記憶装置Ｈ１が保持する番宣または番組実体の再生時、ユーザ指示に従う任意の再生パターンで、番組実体または番宣の再生を制御する。再生パターンは、例えば番宣のみ、番組実体のみ、あるいは番宣と対応する番組実体のそれぞれ、等を含む。なお、番宣再生制御部１１５は、図４が示すように、番宣を再生するか番組実体を再生するかをユーザが選択可能に、例えば録画番組リスト形式で提示する。これにより、ユーザの操作（リモコンＲｍからの制御指示）に基づいて、番宣もしくは番組実体を、再生することができる。なお、番宣再生制御部１１５は、図５が示すように、番宣のみを一覧表示するリストを提示し、ユーザの操作により特定される番組実体の再生を開始させることもできる。
【００２８】
通信制御部１１６は、サービスサーバ２０１が保持する番宣抽出に必要な情報及び番宣のメタデータを取得可能に、ネットワークＮＴＷを経由するサービスサーバ２０１との間のデータの受け渡しを制御する。
【００２９】
図２に、制御フローの一例を、ソフトウェア的に示す。
【００３０】
ユーザ操作（ユーザによる指示入力）や録画予約の実行等により、記録処理部１１０の記録処理にて、記憶装置Ｈ１に番組が録画（記憶）される。記憶装置Ｈ１への番組の録画の完了後、録画番組情報が録画番組管理部１１１に通知され、録画番組情報データベースＬ１が保持する録画番組情報が更新される。録画番組情報データベースＬ１が保持する番組録画情報は、録画番組（コンテンツ）ＩＤ、番組タイトル、放送開始日時、放送局名及び放送時間、等の情報を少なくとも含む［２０１］。
【００３１】
録画番組管理部１１１は、番宣メタデータ管理部１１３が保持する（管理する）番宣情報（番宣メタデータ情報）を参照して、録画が完了した番組に対応する番宣情報の有無を照合する。なお、番宣メタデータ管理部１１３が保持する番宣情報は、例えば番組タイトル（番組名）、番組タイトルＩＤ、放送開始日時、放送局（チャンネル）名及び放送時間の情報、を少なくとも含む［２０２］。
【００３２】
録画番組管理部１１１は、録画が完了した番組の番組タイトル（番組名）、番組タイトルＩＤ、放送開始日時、放送局名及び放送時間の情報と番宣メタデータ管理部１１３が管理する番宣情報とを比較する。録画番組管理部１１１は、比較した結果から一致状況を判定する［２０３］。
【００３３】
番宣メタデータ管理部１１３が管理する番宣情報の全てと録画が完了した番組に対する比較対象の全てが一致する場合［２０３−ＹＥＳ］、引き続き［２０４］を実行する。すなわち、番宣メタデータ管理部１１３は、番宣と番組実体との相互リンクに必要な情報を録画番組管理部１１１から受け取り、番宣情報データベースＬ２に記憶する［２０４］。
【００３４】
一方、録画番組管理部１１１は、上述した番宣情報のうちの番組タイトル（番組名）、放送開始日時、放送局名及び放送時間の情報の少なくとも１つが一致しない場合［２０３−ＮＯ］、番組実体と対応する番宣が存在しない、と判定する。従って、録画番組管理部１１１は、番組実体と対応する番宣が存在しないことを番宣情報データベースＬ２に記憶して終了する［２０５］。
【００３５】
図３に、番宣情報データベースＬ２が保持する番宣情報データベースの記憶内容の一例を示す。なお、図３に例示する記憶内容３０１は一例であり、記録形式や配列、管理情報の個数や識別（区分）は、任意である。
【００３６】
番宣情報データベースの記憶内容３０１は、複数の記憶領域３１１〜３１８を含む。第１の記憶領域３１１は、例えば番宣タイトルＩＤを記憶する。第２の記憶領域３１２は、記憶開始位置を記憶する。第３の記憶領域３１３は、記憶終了位置を記憶する。第４の記憶領域３１４は、番組実体（本編）タイトルを記憶する。第５の記憶領域３１５は、チャンネル（放送局名）を記憶する。第６の記憶領域３１６は、放送開始日時を記憶する。第７の記憶領域３１７は、放送時間（時・分）を記憶する。第８の記憶領域３１８は、リンク情報を記憶する。
【００３７】
より詳細には、第１の記憶領域３１１は、第４の記憶領域３１４が記憶する番組実体（本編）タイトルと関連付けられた情報すなわち番宣タイトルＩＤを保持する。第２の記憶領域３１２及び第３の記憶領域３１３は、第５の記憶領域３１５〜第７の記憶領域３１７が記憶する開始時刻及び終了時刻により特定される番組の番宣を記録した領域を示す。すなわち、第２の記憶領域３１２は、特定された番組に対応する番宣の記憶装置Ｈ１内の記録開始位置を保持する。同様に、第３の記憶領域３１３は、特定された番組に対応する番宣の記憶装置Ｈ１内の記録終了位置を保持する。第８の記憶領域３１８は、上述した番組リンク情報生成部１１４が生成するリンク情報を保持する。
【００３８】
図４Ａは、番宣を再生するか番組実体を再生するかをユーザが選択（指示入力）可能に、例えば録画番組リスト形式で提示するユーザインタフェース（ＵＩ）画面表示の一例を示す。なお、図４Ａに例示するＵＩ画面表示４０１は一例であり、表示形式や配列、表示する情報の個数や識別（区分）は、任意である。
【００３９】
図４Ａが示すＵＩ画面表示４０１は、例えば分類（ジャンル）表示領域４１１、本編（番組実体）の再生指示を入力可能な決定ボタン表示４１２、番宣（予告）の再生指示を入力可能な番宣再生ボタン表示４１３及びタイトル表示領域４２０等を含む。なお、番宣再生ボタン表示４１３は、例えばリモコンＲｍに用意される複数のカラーキー（［青］キー、［赤］キー、［緑］キー及び［黄］キー）の何れかの操作に対応されることが好ましい。以下、図４Ａにおいては、リモコンＲｍの［青］キーの操作に対応して番宣再生ボタン表示４１３に、オン状態（操作入力）が指示されるものとする。
【００４０】
図４Ａが示すＵＩ画面表示４０１において、タイトル表示領域４２０は、録画された番組のタイトル名を表示する。タイトル表示領域４２０は、例えば５番組分（５行）の第１−第５のタイトルバー表示４２１−４２５を含む。なお、図４Ａは、第１のタイトルバー表示４２１及び第３のタイトルバー表示４２３が表示するタイトルについて番宣が存在することを示している。すなわち、タイトル表示領域４２０は、番宣が存在するタイトルについて、対応するタイトルバー表示の所定の領域に、番宣が存在することを表示する番宣（Ｔｒａｉｌ）表示を表示する。図４Ａが示す例では、第１及び第３のタイトルバー表示４２１、４２３のそれぞれに、番宣（Ｔｒａｉｌ）表示４３１及び４３３が表示される。
【００４１】
図４Ａが示すＵＩ画面表示においては、リモコンＲｍの操作によりフォーカスがあてられた（選択された）タイトルバー表示の外枠（縁）の表示色が変化するものとする。次に、リモコンＲｍの操作により、決定ボタン表示４１２に対してオン状態を指示入力することで、フォーカスがあてられたタイトルバー表示が表示するタイトルの番組実体（本編）が再生される。なお、フォーカスがあてられたタイトルバー表示の表示方法は任意であり、例えば表示色を反転してもよいし、文字の背景となる背景色を変更してもよい。
【００４２】
番宣を再生する場合は、番宣を再生しようとするタイトルのタイトルバー表示にフォーカスをあて、リモコンＲｍの操作により、番宣再生ボタン表示４１３に対してオン状態を指示入力することで、その番組の番宣が再生される。例えば、番宣再生ボタン表示４１３に対してオン信号を送信するキーとしてリモコンＲｍの［青］キーを割り当てた場合は、任意のタイトルバー表示にフォーカスをあて、［青］キーをオンすることで、その番組の番宣が再生される。
【００４３】
なお、図４Ｂに示すように、番宣（Ｔｒａｉｌ）表示のそれぞれにリモコンＲｍの操作を指示入力として受けつける入力ボタン機能を組み込み、番宣ボタン表示４８１及び４８３とすることも可能である。すなわち、図４Ｂが示すＵＩ画面表示においては、リモコンＲｍのカーソル操作によりフォーカスがあてられたタイトルバー表示が表示する番組を、決定キー４１２のオンにより再生することが可能となる。また、リモコンＲｍのカーソル操作によりフォーカスがあてられた番宣ボタン表示４８１または４８３に対応する番宣を、決定キー４１２のオンにより再生することが可能となる。なお、図４Ｂが示すＵＩ画面表示においては、例えば［黄］キー４１５に、ＵＩ画面表示４０１内においてフォーカスをあてるべき表示列を、切り換えるための制御信号を指示入力できる「切り換え」キーとしての機能を持たせることも可能である。これにより、例えばタイトルバー表示の列と番宣ボタン表示の列との間で交互に、フォーカス可能となり、操作性が向上する。
【００４４】
なお、図５が示すように、番宣のみを一覧表示するリストをユーザに提示し、ユーザの操作により特定される番組実体の再生を開始させることもできる。また、図５に例示する画面表示（ＵＩ画面）５０１は一例であり、表示形式や配列、管理情報の個数や識別（区分）は、任意である。
【００４５】
図５が示す画面表示（ＵＩ画面）５０１は、分類（ジャンル）表示領域５１１にて、番宣（予告）のみを一覧表示するリストであることを表示する。
【００４６】
画面表示（ＵＩ画面）５０１は、例えば番宣再生ボタン表示５１２及び本編再生ボタン表示５１３を含む。また、画面表示（ＵＩ画面）５０１は、再生対象となる番宣（予告）または番組実体（本編）タイトルを表示するタイトル表示領域５２０を含む。なお、番宣再生ボタン表示５１２は、番宣のみを再生する再生指示（操作入力）を入力可能とする。また、本編再生ボタン表示５１３、本編（番組実体）を再生する再生指示（操作入力）を入力可能とする。なお、本編再生ボタン表示５１３は、リモコンＲｍに用意されるカラーキーであって、例えば［赤］キーの操作に対応されることが好ましい。なお、ユーザインタフェース（ＵＩ）の実装例としては、リモコンＲｍに用意される任意のカラーキー、例えば［青］キー、［緑］キー、［黄］キーの何れかの操作入力に割り当てることが可能である。
【００４７】
なお、図５が示すＵＩ画面表示５０１においては、タイトルバー表示５２１−５２５の表示するタイトルのうち、タイトルバー表示５２１及び５２３が表示するタイトルに、リンクボタン表示５３１及び５３３が用意されている。リンクボタン表示５３１及び５３３は、例えばサービスサーバ２０１が保持しているメタデータに、番組と関連の高いさまざまな情報に関連するリンクが用意されていることを示す。リンクとしては、例えば番組に出演する出演者に関する情報、番組で利用された施設（店）名、番組のロケ地、等であることが好ましい。また、リンクとしては、ある出演者が出演する他の番組の情報や、番組で利用された施設（店）が販売する商品の情報、及びその人気度（売れ筋情報）、等と関連付けられることが好ましい。これにより、ユーザは、リンクボタン表示５３１または５３３をオンすることで、再生した番組に関するより多くの情報を取得可能である。
【００４８】
なお、番組リンク情報は、現在、オンタイムで放送されている番組についても生成することが好ましい。この場合、番宣から、対応する番組実体の視聴を行うための選局操作が容易になる。
【００４９】
このように、録画番組（および現在番組）と当該番組の番宣・予告を、番組リンク情報として関連付けることにより、ユーザが、番宣・予告と番組実体とを選択的に容易に切り替えて再生可能となる。これにより、ユーザが、録画番組の中から番宣・予告に基づいて視聴番組を決定可能な、新たな番組検索機能を提供できる。
【００５０】
図６は、図１が示す記憶再生装置（電子機器）に、番組実体の削除時に、番宣放送部分のみを保護して削除可能とする番宣保護制御部を追加する例を示す。
【００５１】
図６が示す記憶再生装置６０１において、番宣保護制御部６１７は、記憶装置Ｈ１が保持する番組実体を削除する際に番宣放送部分のみを保護して削除可能に、記憶装置Ｈ１からのデータ（番組）の削除を制御する。すなわち、番宣保護制御部６１７の制御により、任意の番組のデータを削除する際に番宣放送部分については削除せずに保護しておくことにより、例えば複数回の連続した放送で完結するドラマ等において、見逃した回（放送）があった場合に、番宣をダイジェストの代用として視聴することが可能となる。
【００５２】
なお、図１及び図６が示す記憶再生装置１においては、記憶装置Ｈ１、録画番組情報データベースＬ１及び番宣情報データベースＬ２を、それぞれ設ける例を示したが、個々のデータベースは、同一の記憶装置を共用する構成であってもよい。また、記憶装置Ｈ１、録画番組情報データベースＬ１及び番宣情報データベースＬ２のそれぞれを、単一の記憶装置内に、配置してもよい。さらに、記憶装置Ｈ１、録画番組情報データベースＬ１及び番宣情報データベースＬ２のそれぞれを、記憶再生装置１の外部に、例えばＵＳＢ（Universal Serial Bus）規格のインタフェースを用いて接続することも可能である。また、記憶装置Ｈ１、録画番組情報データベースＬ１及び番宣情報データベースＬ２のそれぞれを、記憶再生装置１に対して外部接続する場合においても、単一の記憶装置を共用するよう構成することもできる。
【００５３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５４】
１…記憶再生装置、１０２…受信部、１０３…復調部、１０４…ＭＰＥＧ処理部（ビデオ／オーディオ信号処理部）、１０５…出力部、１０６…システム制御部（主制御ブロック）、１０７…操作入力部、１１０…記録処理部、１１１…録画番組管理部、１１２…番宣抽出部、１１３…番宣メタデータ管理部、１１４…番組リンク情報生成部、１１５…番宣再生制御部、１１６…通信制御部、１１７…番宣保護制御部。
【図１】
0006389734.tif 000002
【図２】
0006389734.tif 000003
【図３】
0006389734.tif 000004
【図４Ａ】
0006389734.tif 000005
【図４Ｂ】
0006389734.tif 000006
【図５】
0006389734.tif 000007
【図６】
0006389734.tif 000008